Podtech/llm-jp-corpus-v4-ja_patent huggingface dataset:
【手続補正書】
【提出日】平成23年5月25日(2011.5.25)
【手続補正１】
【補正対象書類名】特許請求の範囲
【補正対象項目名】全文
【補正方法】変更
【補正の内容】
【特許請求の範囲】
【請求項１】
発光粒子及び有機ポリマーを有し、前記発光粒子は、前記発光粒子に作用する光の少なくとも一部を吸収し、吸収された光を前記作用する光と異なる所定のスペクトルを持つ変換光に変換するために配される発光物質を有し、前記有機ポリマーが自立発光フィルムを形成するために前記発光粒子と相互接続し、前記自立発光フィルムが１０重量パーセント未満の有機ポリマーを有し、前記有機ポリマーは、超高分子量ポリマー及び／又は可塑性ポリマーを有する、自立発光フィルム。
【請求項２】
前記発光粒子のサイズは、樹脂により充満されるための多孔性自立発光フィルムを生成する、請求項１に記載の自立発光フィルム。
【請求項３】
前記発光粒子は、異なる発光物質の混合物を有する、請求項１又は２に記載の自立発光フィルム。
【請求項４】
当該自立発光フィルムが、第１の発光粒子及び第２の発光粒子を有し、第１の発光粒子が発光物質を有するか又は第２の発光粒子と異なる発光物質の混合物を有する、請求項１又は２に記載の自立発光フィルム。
【請求項５】
請求項１乃至４の何れか一項に記載の自立発光フィルムと光源とを有する、蛍光体強化された照明システム。
【請求項６】
前記光源は樹脂に囲まれ、前記自立発光フィルムは前記樹脂で充満される、請求項５に記載の蛍光体強化された照明システム。
【請求項７】
前記光源により放射される光のスペクトルは、紫外線光及び／又は青い光を有する、請求項５又は６に記載の蛍光体強化された照明システム。
【請求項８】
前記自立発光フィルムは、前記光源と、光を反射して前記光源の方へ戻す反射層との間に配される、請求項５、６又は７に記載の蛍光体強化された照明システム。
【請求項９】
請求項１又は２に記載の自立発光フィルムを製造する方法であって、
-超高分子量ポリマーを有する溶液に発光粒子を混合して、１０重量パーセント未満の超高分子量ポリマーを有する溶液を生成するするステップと、
-自立発光フィルムを生成するため前記超高分子量ポリマーを硬化させるステップとを有する、方法。
【請求項１０】
請求項１又は２に記載の自立発光フィルムを製造する方法であって、
-１０重量パーセント未満の可塑性ポリマーを有する混合物を生成するため、発光粒子を可塑性ポリマーの粒子と混合するステップと、
-自立発光フィルムを生成するため、前記可塑性ポリマーを介して前記発光粒子を相互接続するため前記混合物に圧力を付与するステップとを有する、方法。
【請求項１１】
圧力を前記混合物に付与するステップは、混合物の上を転がるためのローラーを使用するステップを有する、請求項１０に記載の方法。
【手続補正書】
【提出日】平成23年5月19日(2011.5.19)
【手続補正１】
【補正対象書類名】特許請求の範囲
【補正対象項目名】全文
【補正方法】変更
【補正の内容】
【特許請求の範囲】
【請求項１】
集積回路におけるシステムであって、
製造後に冗長メモリ・セルを用いて修復可能な１つまたは複数のリペアブル・メモリ・アレイ回路であって、１つまたは複数の不良メモリ・セルを取り換える１つまたは複数のリペアブル・メモリ・アレイ回路と、
製造後に調整可能な１つまたは複数の非メモリ・アレイ回路であって、当該非メモリ・アレイ回路の１つまたは複数の動作パラメータを製造後に変更して調整可能な１つまたは複数の非メモリ・アレイ回路と、
前記１つまたは複数の不良メモリ・セルを前記冗長メモリ・セルにより修復するために前記１つまたは複数のリペアブル・メモリ・アレイ回路のいずれかに割り当てられるか、あるいは前記１つまたは複数の動作パラメータを変更するために前記１つまたは複数の非メモリ回路のいずれかに割り当てられるようにプログラム可能な複数のワン・タイム・プログラマブル素子と、
を備えるシステム。
【請求項２】
前記１つまたは複数のリペアブル・メモリ・アレイ回路と前記１つまたは複数の非メモリ・アレイ回路とに結合されたバスと、
前記複数のワン・タイム・プログラマブル素子に結合されるとともに、前記バスに結合されて前記複数のワン・タイム・プログラマブル素子内にプログラムされた情報を与える制御回路と、
をさらに備える請求項１に記載のシステム。
【請求項３】
前記制御回路は前記複数のワン・タイム・プログラマブル素子からの情報を単位データで与え、前記バスに与えられるそれぞれの単位データは、前記１つまたは複数の非メモリ・アレイ回路のうちの特定の１つか、もしくは前記１つまたは複数のリペアブル・メモリ・アレイ回路のうちの特定の１つであって、前記単位データが変更情報を含む該特定の１つを識別するための識別子を含む、請求項２に記載のシステム。
【請求項４】
前記単位データにおける識別子は、前記複数のワン・タイム・プログラマブル素子内にプログラムされる、請求項３に記載のシステム。
【請求項５】
前記複数のワン・タイム・プログラマブル素子の各々がヒューズである、請求項１に記載のシステム。
【手続補正書】
【提出日】平成23年5月19日(2011.5.19)
【手続補正１】
【補正対象書類名】特許請求の範囲
【補正対象項目名】全文
【補正方法】変更
【補正の内容】
【特許請求の範囲】
【請求項１】
半導体デバイスを形成する方法であって、
活性化領域を画定するために半導体層内に絶縁体を形成するステップと、
第１の伝導層と、前記第１の伝導層の上の第２の層とを包含する半導体層の上に第１のゲート・スタックを形成するステップであって、
前記第１の層がより伝導性であり、第２の層よりもインプラントに対して大きな停止力を提供することを特徴とし、
前記第１のゲート・スタックが前記活性化領域の全部でない一部の上に横たわることを特徴とするステップと、
前記第１のゲート・スタックよって被覆されず、隣接する活性化領域の一部の上にインプラントブロックを形成するステップと、
前記第２の層内に種をインプラントするステップであって、第１のゲート・スタックを形成し、前記インプラントブロックを形成した後に、該インプラントが実行されることを特徴とするステップと、
前記インプラントブロックを除去するステップと、
前記第１のゲート・スタックの対抗する側の半導体層にソース／ドレイン領域を形成するステップと、
前記第１のゲート・スタックが前記第１のゲート・スタック下の領域の半導体層で応力を働かせるように、前記インプラントするステップの後に、前記第１のゲート・スタックを過熱させるステップと、
を有することを特徴とする方法。
【請求項２】
半導体層に、および、半導体層の上に半導体デバイスを形成する方法であって、
前記半導体層のチャネル領域の上にわたってゲート・スタックを形成するステップであって、前記ゲート・スタックが、前記半導体層の上にゲート誘電体と、前記ゲート誘電体の上に金属層と、前記金属層の上にポリシリコン層とを備えることを特徴とする、ステップと、
前記ゲート・スタック内に酸素をインプラントするステップであって、前記インプラントからの酸素の最大濃度が、ポリシリコン層にあり、前記金属層の１０ナノメートル内にあることを特徴とする、ステップと、
前記ゲート・スタックの対抗する側の半導体層にソース／ドレイン領域を形成するステップと、
前記酸素が前記ポリシリコン層と反応することができるように、前記インプラントするステップの後に、前記ゲート・スタックを過熱するステップと、
を有することを特徴とする方法。
【請求項３】
半導体層に、および、半導体層の上に半導体デバイスを形成する方法であって、
第１の伝導層と、前記第１の伝導層の上の第２の層を包含する半導体層の上にゲート・スタックを形成するステップであって、前記第１の層がより伝導性であり、第２の層よりもインプラントに対して大きな停止力を提供することを特徴とする、ステップと、
前記第２の層内に種をインプラントするステップであって、種の最大濃度が前記第１の伝導層の１０ナノメートル内にあるようなエネルギで該インプラントが実行されることを特徴とするステップと、
前記ゲート・スタックの対抗する側の半導体層にソース／ドレイン領域を形成するステップと、
ゲート・スタックがゲート・スタック下の領域の半導体層で応力を働かせるように、前記インプラントするステップの後に、前記ゲート・スタックを過熱させるステップと、
を有することを特徴とする方法。
【手続補正書】
【提出日】平成23年5月23日(2011.5.23)
【手続補正１】
【補正対象書類名】特許請求の範囲
【補正対象項目名】全文
【補正方法】変更
【補正の内容】
【特許請求の範囲】
【請求項１】
外周縁を有する加工物のプラズマ加工において使用する装置であって、
プラズマによって除去可能な材料から成り、並置した関係で配置されると環状の幾何学的形状を有するように配置される複数のセクションを含む犠牲体であって、前記複数のセクションが前記加工物の外径が効果的に増大するように該加工物の前記外周縁の周りに同心配置されるようになっている犠牲体を備える、装置。
【請求項２】
前記犠牲体は有機ポリマーから成る、請求項１に記載の装置。
【請求項３】
前記有機ポリマーはポリエーテルエーテルケトン（ＰＥＥＫ）、ポリイミド又はポリアミドである、請求項２に記載の装置。
【請求項４】
前記犠牲体は、プラズマに暴露される前記加工物の一部を構成する材料と同様の組成である材料から成る、請求項１に記載の装置。
【請求項５】
前記犠牲体は、前記加工物の前記外周縁の外径と実質的に等しい内径とを有する、請求項１に記載の装置。
【請求項６】
外周縁と、該外周縁によって接続されている第１の面及び第２の面とを有する加工物をプラズマ加工する装置であって、
プラズマを収容するように構成されている真空筐体であって、前記加工物の前記第１の面がプラズマに暴露されるときに、前記加工物の前記第２の面と接触して支持するようになっている支持台座を含む、真空筐体と、
プラズマによって除去可能な材料から成り、並置した関係で配置されると環状の幾何学的形状を有するように配置される第１及び第２のセクションを含む犠牲体であって、第１及び第２のセクションが、前記前記加工物の外径が効果的に増大するように、前記支持台座上で支持される前記加工物の前記外周縁の周りに同心配置されるようになっている犠牲体とを備える、装置。
【請求項７】
前記真空筐体内に配置されているウエハリフト機構をさらに備え、該ウエハリフト機構はウエハ固定具を含み、該ウエハ固定具は、該ウエハ固定具が前記加工物を前記支持台座と接触しない関係で保持する第１の位置と、該ウエハ固定具が前記加工物の前記第２の面を前記支持台座と接触する関係で配置する第２の位置との間で移動可能であり、前記犠牲体の前記第１のセクションは前記ウエハ固定具によって担持される、請求項６に記載の装置。
【請求項８】
前記第２のセクションは、前記支持台座に隣接して取り付けられ、前記ウエハ固定具が前記第１の位置と前記第２の位置との間を移動するときに静止したままである、請求項７に記載の装置。
【請求項９】
前記犠牲体は有機ポリマーから成る、請求項６に記載の装置。
【請求項１０】
前記有機ポリマーはポリエーテルエーテルケトン（ＰＥＥＫ）、ポリイミド又はポリアミドである、請求項９に記載の装置。
【請求項１１】
前記犠牲体は、プラズマに暴露される前記加工物の一部を構成する材料と同様の組成である材料から成る、請求項６に記載の装置。
【請求項１２】
前記犠牲体は、前記加工物の前記外周縁の外径と実質的に等しい内径とを有する、請求項６に記載の装置。
【請求項１３】
第１の面と、第２の面と、該第１の面及び該第２の面を接続している外周縁とを有する加工物をプラズマエッチングする方法であって、
前記加工物の前記外周縁の周りに、プラズマによって除去可能な材料から成り、配置されると環状の幾何学的形状を画定する複数のセクションに分割された犠牲体を配置すること、
前記加工物を、真空筐体内に配置されているウエハリフト機構上で一時的に支持すること、
前記ウエハリフト機構を移動させて前記加工物を該ウエハリフト機構から支持台座へ搬送すること、
前記加工物を搬送するとき、前記犠牲体の前記セクションのうちの少なくとも一方と該犠牲体の該セクションのうちの少なくとも別のセクションとを位置合わせすることであって、実質的に連続する環状の幾何学的形状を画定するため位置合わせすること、
前記加工物の前記第１の面及び前記犠牲体をプラズマに暴露すること、並びに
最大エッチング速度を、前記加工物の前記第１の面上の位置から前記犠牲体上の異なる位置へシフトすることを含む、方法。
【請求項１４】
前記犠牲体の材料をプラズマに暴露することによって侵食すること、及び
前記犠牲体の十分な侵食が起こった後で該犠牲体を別の犠牲体と交換することをさらに含む、請求項１３に記載の方法。
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
多層回路を製造する方法であって、
第１電気絶縁層であって、前記第１電気絶縁層を貫いて画定される少なくとも１つの開口を有する第１電気絶縁層を提供することと、
前記第１電気絶縁層を第１導電層と結合することと、
を含み、
前記第１導電層が、前記第１電気絶縁層中の前記開口と見当合わせして、前記第１電気絶縁層に結合され、前記多層回路が持続速度で製造される、多層回路を製造する方法。
【請求項２】
第２電気絶縁層を提供することと、
前記第２電気絶縁層を、前記第１導電層上であって前記第１電気絶縁層とは反対の位置に結合することと、を含み、
前記第１導電層が、該第１導電層を貫いて画定されると共に前記第１電気絶縁層中の前記少なくとも１つの開口と位置合わせするように位置付けられる少なくとも１つの開口を有する、請求項１に記載の方法。
【請求項３】
前記第１電気絶縁層が前記第１導電層に接触する前に、パターンに配置された開口を形成するよう、前記第１電気絶縁層が穿孔されて、
前記多層回路が、前記第１電気絶縁層中の前記パターンと見当合わせされる、請求項１に記載の方法。
【請求項４】
少なくとも１つの光源を、前記第１電気絶縁層上の前記多層回路上であって、前記第１導電層とは反対の位置に設置することを含む、請求項１に記載の方法。
【手続補正書】
【提出日】平成23年9月30日(2011.9.30)
【手続補正１】
【補正対象書類名】特許請求の範囲
【補正対象項目名】全文
【補正方法】変更
【補正の内容】
【特許請求の範囲】
【請求項１】
集積回路のコンタクトパッドであって、
前記コンタクトパッドの底部を含む平坦部と、
前記平坦部から延在し、前記平坦部に実質的に垂直な複数の突起と、
前記複数の突起および前記平坦部に取付けられたはんだボールとを備え、
前記複数の突起のうち特定の１つは、少なくとも第１の平坦域と第２の平坦域とを有し、前記第１の平坦域は、前記第２の平坦域とは異なる高さにある、コンタクトパッド。
【請求項２】
前記複数の突起は、高さの範囲が前記コンタクトパッドの外側端部にある短い突起を含み前記コンタクトパッドの中心近くにあるより背の高い突起にわたる複数の突起を含む、請求項１に記載のコンタクトパッド。
【請求項３】
前記複数の突起は、高さの範囲が前記コンタクトパッドの外側端部にある背の高い突起を含み前記コンタクトパッドの中心近くにある短い突起にわたる複数の突起を含む、請求項１に記載のコンタクトパッド。
【請求項４】
集積回路のためのコンタクトパッドの形成方法であって、
前記コンタクトパッドの底部を含む平坦部を形成するステップと、
前記平坦部から延在し、前記平坦部に実質的に垂直な複数の突起を形成するステップと、
前記複数の突起および前記平坦部にはんだボールを取付けるステップとを備え、
前記複数の突起のうち特定の１つは、少なくとも第１の平坦域と第２の平坦域とを有し、前記第１の平坦域は、前記第２の平坦域とは異なる高さにある、方法。
【請求項５】
前記複数の突起を形成するステップは、少なくとも１つのメタル層を形成するステップまたはエッチングするステップを含む、請求項４に記載の方法。
【請求項６】
前記複数の突起を形成するステップは、前記コンタクトパッドの外側端部近くにある短い突起から前記コンタクトパッドの中心近くにある背の高い突起にわたる突起を形成するステップを含む、請求項４に記載の方法。
【請求項７】
前記複数の突起を形成するステップは、前記コンタクトパッドの外側端部近くにある背の高い突起から前記コンタクトパッドの中心近くにある短い突起にわたる突起を形成するステップを含む、請求項４に記載の方法。
【請求項８】
前記特定の突起にある平坦域の数は、前記特定の突起の高さによって変化する、請求項１に記載のコンタクトパッド。
【請求項９】
前記複数の突起の各々は、少なくとも前記第１の平坦域と前記第２の平坦域とを有し、前記複数の突起のうち前記特定の１つの高さは、前記複数の突起のうち別の１つの高さと異なり、前記複数の突起のうち前記特定の１つにある平坦域の数は、前記複数の突起のうち前記別の１つにある平坦域の数と異なる、請求項１に記載のコンタクトパッド。
【請求項１０】
前記特定の突起にある平坦域の数は、前記特定の突起の高さによって変化する、請求項４に記載の方法。
【請求項１１】
前記複数の突起は、第１の方向へ延在し、前記複数の突起のうち前記特定の１つの前記第１の平坦部および前記第２の平坦部は、前記第１の方向に垂直な第２の方向へほぼ直線状に延在する、請求項１に記載のコンタクトパッド。
【請求項１２】
前記複数の突起は、第１の方向へ延在し、前記複数の突起のうち前記特定の１つの前記第１の平坦部および前記第２の平坦部は、前記第１の方向に垂直な第２の方向へほぼ直線状に延在する、請求項４に記載の方法。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
ソーラーセル用途に適した膜を堆積させる装置であって、
処理チャンバと、
該処理チャンバ内に配置され且つ上部に四辺形基板を支持するように構成された基板支持体と、
該基板支持体の上に該処理チャンバ内に配置されたガス分配プレートであって、該ガス分配プレートの底面が縁と角を含む周辺を持ち、また、該ガス分配プレートの該角が該ガス分配プレートの該縁の各々より該基板支持体に近い、前記ガス分配プレートと、
を備え、該ガス分配プレートの該角が、堆積したシリコン膜の角で増加した結晶堆積を有する該シリコン膜を堆積するように構成されている、前記装置。
【請求項２】
該ガス分配プレートの該底面が、更に、該ガス分配プレートの該縁より該基板支持体から更に離間されている中央を備えている、請求項１に記載の装置。
【請求項３】
該基板支持体が、更に、
湾曲した上面、
を備えている、請求項１に記載の装置。
【請求項４】
該ガス分配プレートを通って形成される複数のアパーチャ、
を更に備える、請求項１に記載の装置。
【請求項５】
該アパーチャの直径が、約０.０１インチ〜約１インチである、請求項４に記載の装置。
【請求項６】
該ガス分配プレートの中央の厚さが、該ガス分配プレートの該縁の厚さより小さい、請求項５に記載の装置。
【請求項７】
該ガス分配プレートが、湾曲した下流表面を持っている、請求項１に記載の装置。
【請求項８】
該湾曲面が、該ガス分配プレート上にあり、弦の深さが約０.０５インチ〜約１インチである、請求項７に記載の装置。
【請求項９】
該湾曲面が、該ガス分配プレート上に形成され、弦の深さが該プレートの長さの約３パーセントを超えない、請求項７に記載の装置。
【請求項１０】
ソーラーセル用途に適した膜を堆積させる装置であって、
処理チャンバと、
該処理チャンバ内に配置され且つ上部に四辺形の基板を支持するように構成される基板支持体と、
該基板支持体の上に該処理チャンバ内に配置されたガス分配プレートであって、該ガス分配プレートの底面が、縁と角を含む周辺を持ち、また、該ガス分配プレートの該縁が、凹面である、前記ガス分配プレートと、
を備え、該ガス分配プレートの該角が、堆積したシリコン膜の角で増加した結晶堆積を有する該シリコン膜を堆積するように構成されている、前記装置。
【請求項１１】
該ガス分配プレートの該角の厚さが、該縁の中間点での該ガス分配プレートの厚さより大きく、また、該ガス分配プレートの中央の厚さが、該縁の該中間点での該厚さより小さい、請求項１０に記載の装置。
【請求項１２】
該ガス分配プレートが、更に、
貫通して形成される複数のアパーチャであって、該ガス分配プレートの該縁に沿って位置する該アパーチャのフローコンダクタンスが、該ガス分配プレートの角に位置する該アパーチャのコンダクタンスより大きく且つ中央に位置する該アパーチャのコンダクタンスより小さい、前記複数のアパーチャ、
を備える、請求項１０に記載の装置。
【請求項１３】
ソーラーセル用途に適したシリコン膜を堆積させる方法であって、
基板支持体に向いているガス分配プレートを持つ処理チャンバ内に基板を準備するステップであって、該ガス分配プレートの角と該基板支持体との間の間隔が、該ガス分配プレートの縁の中間点と該基板支持体との間の間隔より近い、前記ステップと、
該ガス分配プレートに処理ガスを流し込むステップと、
該基板上にシリコン膜を堆積させるステップと、
を含む、前記方法。
【請求項１４】
該シリコン膜が、微結晶シリコン層である、請求項１３に記載の方法。
【請求項１５】
ソーラーセル用途に適したシリコン膜を堆積させる方法であって、
基板支持アセンブリに向いているガス分配プレートを持つ処理チャンバ内に基板を準備するステップであって、該ガス分配プレートと該基板支持アセンブリが、間に画成された縁と角との勾配間隔を持つ、前記ステップと、
該ガス分配プレートを通って形成された複数のアパーチャを通って該チャンバ内にガス混合物を供給するステップであって、該ガス混合物のシランガスと水素ガスとの比が１：２０〜１：２００である、前記ステップと、
該基板上にシリコン膜を堆積させるステップと、
を含む、前記方法。
【手続補正書】
【提出日】平成23年4月19日(2011.4.19)
【手続補正１】
【補正対象書類名】特許請求の範囲
【補正対象項目名】全文
【補正方法】変更
【補正の内容】
【特許請求の範囲】
【請求項１】
第１のチャンバーの少なくとも一部分を画成する第１の表面、及び第２のチャンバーを画成する第２の表面を有するセパレーターであって、第１のチャンバーが当該セパレーターを介して第２のチャンバーとイオン連通している、前記セパレーター、並びに
前記セパレーターと電気連通しており、金属ハロゲン化物を形成することができるカソード物質
を含んでなり、
支持構造体が前記第１のチャンバー又は第２のチャンバーの少なくとも１つの内部に配置されており、前記支持構造体は導電性であって集電器と電気連通しており、前記カソード物質は前記支持構造体の表面上に支持されている、物品。
【請求項２】
セパレーターが平坦である、うねっている、半球状である、又は窪みがある、請求項４記載の物品。
【請求項３】
セパレーターが、円形、クローバー葉形、又は正方形である軸に垂直な断面形状を有する、請求項１記載の物品。
【請求項４】
支持構造体が炭素からなる、請求項１記載の物品。
【請求項５】
カソード物質が亜鉛であり、支持構造体が銅、ニッケル、モリブデン、タングステン、及びチタンからなる群から選択される金属である、請求項１記載の物品。
【請求項６】
カソード物質が銅であり、支持構造体がニッケル、モリブデン、タングステン、及びチタンからなる群から選択される金属である、請求項１記載の物品。
【請求項７】
支持構造体が約０．１ｍ２／ｇ超の比表面積を有する、請求項１記載の物品。
【請求項８】
支持構造体の細孔が、カソード物質の塩形態から元素形態への電気化学的変換により形成されるか、又は導電性イオンの元素形態から塩形態への電気化学的変換により形成される粒子の粒度に基づいて選択される平均直径を有する、請求項１記載の物品。
【請求項９】
支持構造体が、その上に支持されるカソード物質の有効密度として、約０．０１ｇ／ｃｍ３超の有効密度を有する、請求項１記載の物品。
【請求項１０】
支持構造体が、連続的なカソード物質の層を支持する、請求項１記載の物品。
【請求項１１】
支持構造体が複数の副層を含む、請求項１記載の物品。
【請求項１２】
複数の副層が、少なくとも１つのボンディング層若しくは接着層、導電層、耐食層、又は充電状態指示層、及び最外層としての活性層を含んでおり、活性層がカソード物質を含む、請求項１１記載の物品。
【請求項１３】
複数の副層が活性層を含んでおり、活性層が異なるカソード物質の２つの副層を含む、請求項１１記載の物品。
【請求項１４】
前記プレートがカソード物質の軸方向の領域を画成しており、前記プレートが、連続で電気的に絶縁性であり、１つの軸方向の領域を別の軸方向の領域から電気的に絶縁するように構成されている、請求項１記載の物品。
【請求項１５】
互いに軸方向に間隔をあけた少なくとも２つの領域があり、添加剤の濃度が領域１と領域２で異なるか、又はカソード物質の種類が領域１と領域２で異なるか、又はカソード物質の量が領域１と領域２で異なるか、又は各々の領域に複数のカソード物質が存在しており第１のカソード物質と第２のカソード物質の比が領域１と領域２で異なるか、の少なくとも１つがある、請求項１記載の物品。
【手続補正書】
【提出日】平成23年5月9日(2011.5.9)
【手続補正１】
【補正対象書類名】特許請求の範囲
【補正対象項目名】全文
【補正方法】変更
【補正の内容】
【特許請求の範囲】
【請求項１】
ワークピースを誘導加熱するための装置であって、
パルス幅変調制御を用いた交流出力を有する電源と、
前記電源の前記交流出力に接続された入力を有するインピーダンス整合器と、
前記インピーダンス整合器の出力に接続され、交流磁界を発生させるインダクタと、
前記ワークピースをインダクタ内に移動させ、前記ワークピースの選択された部分を前記磁界と磁気的に結合させる手段と、
前記選択された部分のそれぞれが誘導加熱処理のために前記磁界と結合された場合に、前記交流出力の周波数を選択的に調整する手段と、
前記選択された部分のそれぞれが前記誘導加熱処理のために前記磁界と結合され、前記交流出力の周波数が調整された場合に、前記交流出力の負荷サイクルを変更することにより、前記交流出力の電力を選択的に調整する手段と
を備えることを特徴とする装置。
【請求項２】
１以上のインバータ出力電力パラメータ又は１以上のワークピースの電気的パラメータを検知し、検知したパラメータに応答してインピーダンス整合器を調整する手段を更に備える請求項１に記載の装置。
【請求項３】
ワークピースが有する１以上の複合的な機構を誘導加熱する方法であって、
少なくとも１以上のインダクタに電力供給し、前記１以上のインダクタの周囲に交流磁界を発生させ、
前記ワークピースの前記１以上の複合的な機構のそれぞれを、前記磁界付近で逐次的に位置決めし、前記位置決めした機構を前記磁界と磁気的に結合させ、これにより前記位置決めした機構を誘導加熱処理し、
前記電力供給のインピーダンスを前記ワークピースのインピーダンスと整合させ、
前記磁界付近において前記ワークピースの前記１以上の複合的な機構のそれぞれを逐次的に位置決めする間に電力の周波数を選択的に変化させ、
前記磁界付近において前記ワークピースの前記１以上の複合的な機構のそれぞれを逐次的に位置決めして前記電力の周波数を調整する間に電力の負荷サイクルを変化させることによって、前記電力の大きさを選択的に変動させる
ことを含むことを特徴とする方法。
【請求項４】
ワークピースを誘導加熱するための装置であって、
パルス幅変調制御を用いた交流出力を有する電源と、
前記電源の前記交流出力に接続された入力を有するインピーダンス整合器と、
前記ワークピースの周囲に位置決めされ、前記インピーダンス整合器の出力に接続されて交流磁界を発生させるインダクタと、
前記ワークピースの長さ方向に沿って前記インダクタ内を動かし、前記ワークピースの選択された部分を前記磁界と磁気的に結合する手段と、
前記選択された部分のそれぞれが誘導加熱処理のために前記磁界と結合された場合に前記交流出力の前記周波数を選択的に調整する手段と、
前記選択された部分のそれぞれが誘導加熱処理のために前記磁界と結合され、前記交流出力の前記周波数が調整された場合に、前記交流出力の前記負荷サイクルを変化させることにより、前記交出力の電力を選択的に調整する手段と
を備えることを特徴とする装置。
【請求項５】
連続的な又は個別のワークピースを誘導加熱処理するための装置であって、
パルス幅変調制御を用いた交流出力を有する電源と、
前記交流出力に接続され、交流磁界を発生させるインダクタと、
前記連続的な又は個別のワークピースを前記インダクタ内に移動させ、前記連続的な又は個別のワークピースの進行断面を前記磁界と磁気的に結合させる手段と、
前記進行断面それぞれのパラメトリックな変化に応答して誘導加熱処理のために前記進行断面のそれぞれが前記磁界と結合される場合に、前記交流出力の前記周波数を選択的に調整する手段と、
前記進行断面それぞれのパラメトリックな変化に応答して前記誘導加熱処理のために前記進行断面のそれぞれが前記磁界と結合され、前記交流出力の前記周波数が調整される場合に、前記交流出力の前記負荷サイクルを変化させることにより前記交流出力の電力を選択的に調整するための手段と
を備えることを特徴とする装置。
【請求項６】
前記誘導加熱処理のために、前記進行断面のそれぞれが前記磁界と結合される期間を選択的に調整するための手段を更に備える請求項５に記載の装置。
【請求項７】
前記パラメトリックな変化は、前記連続的な又は個別のワークピースの断面直径を変化させることを含む請求項５または６に記載の装置。
【請求項８】
前記電源の前記交流出力と前記インダクタとの間に接続されたインピーダンス整合器を更に含む請求項５から７のいずれか一項に記載の装置。
【請求項９】
連続的な又は個別のワークピースを誘導加熱処理するための方法であって、
少なくとも１以上のインダクタに電力を供給し、前記１以上のインダクタの周囲に交流磁界を発生させ、
ワークピースを前記インダクタ内に移動させ、前記ワークピースの進行断面を磁気的に結合させて前記進行断面を加熱処理に晒し、
前記磁界付近で前記進行断面のそれぞれが逐次的に位置決めされる場合に前記電力の周波数を選択的に変化させ、
前記ワークピースの１の進行断面のそれぞれが前記磁界付近で逐次的に位置決めされて前記電力の周波数が調整される場合に、前記電力の負荷サイクルを変化させることにより、前記電力の大きさを選択的に変動させる
ことを含むことを特徴とする方法。
【請求項１０】
前記１以上の進行断面のそれぞれが前記磁界に誘導的に結合されるための加熱処理時間を選択的に変動させるステップを更に含む請求項９に記載の方法。 
【請求項１１】
前記加熱処理が、表面熱処理、断面浸透熱処理又は接着加熱処理である請求項９または１０に記載の方法。
【請求項１２】
電力供給のインピーダンスを前記ワークピースの前記インピーダンスにマッチングさせるステップを更に含む請求項９から１１のいずれか一項に記載の方法。
【請求項１３】
連続的な又は個別のワークピースを誘導加熱処理するための装置であって、
直流入力及び交流出力を有するインバータと、
前記交流出力に接続され、交流磁界を発生させるインダクタと、
前記連続的な又は個別のワークピースを前記インダクタ内に移動させ、前記連続的な又は個別のワークピースの進行断面を前記磁界と磁気的に結合させるための手段と、
前記進行断面それぞれのパラメトリックな変化に応答して誘導加熱処理のために前記進行断面のそれぞれが前記磁界に結合される場合に前記交流出力の周波数を選択的に調整するための手段と、
前記進行断面それぞれのパラメトリックな変化に応答して前記誘導加熱処理のために前記進行断面のそれぞれが前記磁界に結合され、前記交流出力の周波数を選択的に調整される場合に、前記インバータの前記直流入力の振幅を変化させることにより、前記交流出力の電力を選択的に調整するための手段と
を備えることを特徴とする装置。
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
約５０ｎｍ〜約３０００ｎｍの範囲の平均直径を有する湿潤性のポリマー繊維の多孔質細繊維層を含むセパレータを有するアルカリ電池であって、前記多孔質細繊維層が強アルカリ性電解質によって恒久的に湿潤しているアルカリ電池。
【手続補正２】
【補正対象書類名】明細書
【補正対象項目名】００４７
【補正方法】変更
【補正の内容】
【００４７】
表３
2010529637.tif 000001
次に、本発明の態様を示す。
1.  約５０ｎｍ〜約３０００ｎｍの範囲の平均直径を有する湿潤性のポリマー繊維の多孔質細繊維層を含むセパレータを有するアルカリ電池であって、前記多孔質細繊維層が強アルカリ性電解質によって恒久的に湿潤しているアルカリ電池。
2.  前記繊維ポリマーが、内部に組み入れられた有効量の界面活性剤を含む上記１に記載の電池。
3.  前記繊維が、電界紡糸または電気ブロー加工によってポリマーの紡糸溶液から製造され、界面活性剤が前記紡糸溶液に加えられる上記１に記載の電池。
4.  前記界面活性剤が、前記ポリマーの約０．４重量％〜約２０重量％のレベルで存在する上記２に記載の電池。
5.  前記界面活性剤が、前記ポリマーの約１重量％〜約５重量％のレベルで存在する上記２に記載の電池。
6.  前記界面活性剤が非イオン性界面活性剤である上記２に記載の電池。
7.  前記非イオン性界面活性剤が、アルキル化ポリエーテル界面活性剤およびシロキシルポリエーテル界面活性剤からなる群から選択される上記６に記載の電池。
8.  前記繊維が、脂肪族ポリアミド、半芳香族ポリアミド、ポリビニルアルコール、セルロース、ポリエチレンテレフタレート、ポリプロピレンテレフタレート、ポリブチレンテレフタレート、ポリスルホン、ポリフッ化ビニリデン、ポリフッ化ビニリデン−ヘキサフルオロプロペン、ポリアクリロニトリル、ポリプロピレン、ポリエチレン、ポリメチルメタクリレート、ポリメチルペンタン、ポリフェニレンスルフィド、ポリアセチル、ポリウレタン、芳香族ポリアミドおよびそれらのブレンド、混合物およびコポリマーからなる群から選択されるポリマーを含む上記１に記載の電池。
9.  前記多孔質細繊維層が、約０．０１μｍ〜約１５μｍの平均流孔径を有する上記１に記載の電池。
10.  前記多孔質細繊維層が、約０．１ミル（０．００２５ｍｍ）〜約１２ミル（０．３ｍｍ）の厚さを有する上記１に記載の電池。
11.  前記多孔質細繊維層が、約１ｇ／ｍ2〜約９０ｇ／ｍ2の坪量を有する上記１に記載の電池。
12.  前記繊維が、約５０ｎｍ〜約１０００ｎｍの平均直径を有する上記１に記載の電池。
13.  前記ポリマーが架橋される上記１に記載の電池。
14.  前記セパレータが複数の多孔質細繊維層を含む上記１に記載の電池。
15.  前記セパレータが、異なるポリマーを含む複数の多孔質細繊維層を含む上記１に記載の電池。
16.  前記セパレータが、厚さ、坪量、孔径、繊維サイズ、多孔率、透気率、イオン抵抗性および引張り強さからなる群から選択される、異なる特性を有する複数の多孔質細繊維層を含む上記１に記載の電池。
17.  前記アルカリ電池が、Ｚｎ−ＭｎＯ2一次電池、Ｚｎ−ＭｎＯ2二次電池、Ｚｎ−空気電池、Ｚｎ−ＡｇＯ電池、Ｎｉ−Ｚｎ電池、Ｃｄ−ＡｇＯ電池、Ｚｎ−ＨｇＯ電池、Ｃｄ−ＨｇＯ電池、Ｎｉ−Ｃｄ電池、Ｎｉ−金属水素化物電池、またはＮｉ−Ｈ2電池である上記１に記載のアルカリ電池。
18.  前記ポリマー繊維が、界面活性剤をさらに塗布される上記２に記載のアルカリ電池。
【手続補正書】
【提出日】平成23年3月11日(2011.3.11)
【手続補正１】
【補正対象書類名】特許請求の範囲
【補正対象項目名】全文
【補正方法】変更
【補正の内容】
【特許請求の範囲】
【請求項１】
気密容器（３１；５１）と、電解液中に浸された電極であって、１つまたは２つ以上のセパレーターにより互いに隔てられた電極（３２，３２’；５２）と、電極に接続された電気接点（３４，３４’；５４，５４’）と、有害物質を吸着するための手段（１０；２０；３３；４５；５５；６５）を含む再充電可能なリチウム電池であって、有害物質を吸着するための前記手段が、ポリマー製の筺体（１１，１２；２１）を備えており、当該ポリマー製の筐体は、前記有害物質に対して透過性であるが電解液に対して透過性でなく、かつ、前記有害物質の吸着のための１種または２種以上のゲッター材料（１４，２２；２２’）を収容しており、
前記ゲッター材料が錠剤の形態にある場合に前記ポリマー製の筺体が円筒形状を有するか、または
前記透過性のポリマー製の筺体は、２枚の溶着されたポリマーシートから構成される、
ことを特徴とする、再充電可能なリチウム電池（３０；４０；５０；６０）。
【請求項２】
前記ポリマーシートの厚さは２〜５０μｍである、請求項１に記載の再充電可能なリチウム電池。
【請求項３】
前記ポリマー製の筺体は円筒形状を有し、前記ゲッター材料は圧縮された粉末から成る単一錠剤の形態にあり、ポリマー製の筺体は当該錠剤の表面と直接接触している、請求項１または２に記載の再充電可能なリチウム電池。
【請求項４】
前記透過性のポリマー製の筺体は、ポリオレフィン及びフッ素化ポリマーから選ばれた材料で作られたものである、請求項１〜３のいずれか一項に記載の再充電可能なリチウム電池。
【請求項５】
前記有害物質は水を含み、前記ゲッター材料は次の化合物：アルカリ土類金属の酸化物、酸化ホウ素、及びゼオライトのうちの１種または２種以上を含む、請求項１〜４のいずれか一項に記載の再充電可能なリチウム電池。
【請求項６】
前記有害物質はＣＯ2を含み、前記ゲッター材料は次の化合物：炭素分子ふるい（ＣＭＳ）、アルカリ金属もしくはアルカリ土類金属の酸化物または化学式ＬｉＸＯy で示されるリチウム塩（Ｘは、ジルコニウム、鉄、ニッケル、チタン及びケイ素から選ばれ、ｙは２〜４である）、アミン基等の塩基性官能基を付加することにより適切に修飾された有機金属骨格（ＭＯＦ）のうちの１種または２種以上を含む、請求項１〜４のいずれか一項に記載の再充電可能なリチウム電池。
【請求項７】
前記有害物質はＣＯを含み、前記ゲッター材料は次の化合物：酸化コバルト、酸化銅及び過マンガン酸カリウムのうちの１種または２種以上を含有する、請求項１〜４のいずれか一項に記載の再充電可能なリチウム電池。
【請求項８】
前記有害物質は酸素を含み、前記ゲッター材料は次の化合物：ジルコニウム−バナジウム−鉄の三元合金、ジルコニウム−コバルト−希土類の三元合金、及び金属または還元もしくは部分還元された金属酸化物のうちの１種または２種以上を含む、請求項１〜４のいずれか一項に記載の再充電可能なリチウム電池。
【請求項９】
前記有害物質は気相の水素を含み、前記ゲッター材料は非蒸発性のゲッター合金を含む、請求項１〜４のいずれか一項に記載の再充電可能リチウム電池。
【請求項１０】
ゲッター材料を収容する１つまたは２つ以上のポリマー製の筺体を備え、前記ポリマー製の筺体は気密容器の内壁の１つまたは２つ以上の部分に沿って配置されている、請求項１〜９のいずれか一項に記載の再充電可能なリチウム電池。
【請求項１１】
電池の気密容器の一部分は、ゲッター材料を収容する前記ポリマー製の筺体を収容するために設けられている、請求項１〜１０のいずれか一項に記載の再充電可能なリチウム電池。
【手続補正書】
【提出日】平成23年3月30日(2011.3.30)
【手続補正１】
【補正対象書類名】特許請求の範囲
【補正対象項目名】全文
【補正方法】変更
【補正の内容】
【特許請求の範囲】
【請求項１】
気密容器（４１、５１）、１つ以上のセパレーターによって隔てて配置されていて電解液に浸漬した電極（４２；５２、５２’、・・・）、電極に接続された電気接点（５４、５４’）および有害物質を吸着するための手段（１０；２０；３２；４３；５３）を含む再充電可能なリチウム電池（４０、５０）であって、前記有害物質を吸着するための手段が、前記有害物質を吸着するための１つ以上のゲッタ材料の粒子（１１）を含有する高分子材料からなる中間層（１２；２２：３３）、および電解液を透過しない高分子材料からなる少なくとも１つの外側の保護層（１３；２３、２３’；３４）から形成された多層高分子シートの形状であって、全ての高分子材料が前記有害物質を透過することを特徴とする再充電可能なリチウム電池。
【請求項２】
前記高分子材料からなる外側の保護層が最大限でも前記中間層の端部（２４；３５）を除いて前記中間層の表面を完全に覆っていることを特徴とする請求項１に記載の再充電可能なリチウム電池。
【請求項３】
前記保護層および１つ以上のゲッタ材料の粒子を含有する高分子材料からなる前記中間層が、ポリオレフィンとフッ素化ポリマーから選択される材料で作製されている請求項１に記載の再充電可能なリチウム電池。
【請求項４】
前記有害物質がＨ２Ｏを含みそして前記ゲッタ材料がアルカリ土類金属の酸化物、酸化ホウ素およびゼオライトの１つ以上の化合物を含む請求項１に記載の再充電可能なリチウム電池。
【請求項５】
前記有害物質がＣＯ２を含みそして前記ゲッタ材料が炭素分子篩（ＣＭＳ）、アルカリおよびアルカリ土類金属の水酸化物、式ＬｉＸＯｙ（Ｘはジルコニウム、鉄、ニッケル、チタン、ケイ素の中から選択され、ｙは２と４との間である。）によって特定されるリチウム塩、アミン基のような塩基性官能基の付加により適切に変性されたＭＯＦのうち１つ以上の化合物を含む請求項１に記載の再充電可能なリチウム電池。
【請求項６】
前記有害物質がＣＯでありそして前記ゲッタ材料が酸化コバルト、酸化銅、過マンガン酸カリウムのうち１つ以上の化合物を含む請求項１に記載の再充電可能なリチウム電池。
【請求項７】
前記有害物質がＯ２を含みそして前記ゲッタ材料がジルコニウム、バナジウムおよび鉄の三元合金、ジルコニウム、コバルトおよび希土類の三元合金、および還元された又は部分的に還元された金属あるいは金属酸化物のうち１つ以上の化合物を含む請求項１に記載の再充電可能なリチウム電池。
【請求項８】
前記有害物質がガス相における水素を含みそして前記ゲッタ材料が非蒸発性のゲッタ合金を含む請求項１に記載の再充電可能なリチウム電池。
【請求項９】
前記高分子保護層の厚さが１〜５０μｍである請求項１に記載の再充電可能なリチウム電池。
【請求項１０】
ゲッタ材料を含有する高分子材料からなる前記中間層が３〜２００μｍの厚さを有する請求項１に記載の再充電可能なリチウム電池。
【請求項１１】
前記多層高分子シートが、気密容器の１つ以上の内壁に沿って配置されている請求項１に記載の再充電可能なリチウム電池。
【手続補正書】
【提出日】平成23年6月2日(2011.6.2)
【手続補正１】
【補正対象書類名】特許請求の範囲
【補正対象項目名】全文
【補正方法】変更
【補正の内容】
【特許請求の範囲】
【請求項１】
生体分子およびマーカーを含み、ここで生体分子がリンカーを介してマーカーに連結していてもよい、造影剤としての使用に適した複合体。
【請求項２】
マーカーに連結した生体分子が超複合体を形成する、請求項１に記載の複合体。
【請求項３】
マーカーが常磁性マーカーまたは放射性マーカーである、請求項１または２に記載の複合体。
【請求項４】
ｉ）マーカーが常磁性マーカーであり、常磁性マーカーの磁気モーメントが６〜９の範囲にあるか、またはｉｉ）マーカーが常磁性マーカーであり、前記常磁性物質の磁気モーメントが７より大きい、請求項１〜３のいずれかに記載の複合体。
【請求項５】
常磁性マーカーがアルミニウム、バリウム、カルシウム、ジスプロシウム、ガドリニウム、マグネシウム、マンガン、酸素、プラチナ、ナトリウム、ストロンチウム、テクネチウムおよびウランからなる群から選択される、請求項１〜３のいずれかに記載の複合体。
【請求項６】
生体分子が核酸、ポリペプチド、多糖ならびに脂質を含む群から選択される、請求項１〜５のいずれかに記載の複合体。
【請求項７】
生体分子がポリペプチドである、請求項１〜６のいずれかに記載の複合体。
【請求項８】
ｉ）複合体が腎臓のイメージングに適しているか、またはｉｉ）複合体が腎皮質において蓄積することが可能である、請求項１〜７に記載の複合体。
【請求項９】
生体分子が１ｋＤａ〜５０ｋＤａの分子量を有する、請求項１〜８のいずれかに記載の複合体。
【請求項１０】
生体分子が７．５〜１１．５の等電点を有する、請求項１〜９のいずれかに記載の複合体。
【請求項１１】
ｉ）生体分子がアプロチニン、またはそのフラグメントもしくは誘導体を含むか、あるいはそれらからなるか、またはｉｉ）生体分子がキモトリプシノーゲンＡ、またはそのフラグメントもしくは誘導体を含むか、あるいはそれらからなるか、またはｉｉｉ）生体分子がリゾチーム、またはそのフラグメントもしくは誘導体を含むか、あるいはそれらからなるか、またはｉｖ）生体分子がオボアルブミン、またはそのフラグメントもしくは誘導体を含むか、あるいはそれらからなるか、またはｖ）生体分子がリボヌクレアーゼ、またはそのフラグメントもしくは誘導体を含むか、あるいはそれらからなるか、またはｖｉ）生体分子がシトクロムｃ、またはそのフラグメントもしくは誘導体を含むか、あるいはそれらからなるか、またはｖｉｉ）生体分子がシスタチンｃ、またはそのフラグメントもしくは誘導体を含むか、あるいはそれらからなるか、またはｖｉｉｉ）生体分子がアンジオテンシン、またはそのフラグメントもしくは誘導体を含むか、あるいはそれらからなる、請求項１〜１０のいずれかに記載の複合体。
【請求項１２】
請求項１〜１１のいずれかに記載の１以上の複合体およびキャリアを含む、造影剤としての使用のための組成物。
【請求項１３】
組成物が少なくとも２種の異なる複合体を含む、請求項１２に記載の組成物。
【請求項１４】
生体分子がアプロチニンおよびリゾチームから選択される、請求項１２に記載の組成物。
【請求項１５】
少なくとも前記複合体の１種がｉ）アプロチニン、および／またはｉｉ）ガドリニウムを含む、請求項１２または１３に記載の組成物。
【請求項１６】
少なくとも１種の前記複合体がガドリニウムとリゾチームを含む、請求項１２および１３のいずれかに記載の組成物。
【請求項１７】
組織または器官の画像を生み出すための方法であって、以下のステップ：
ａ．対象に投与した請求項１〜１１のいずれかに記載の複合体または請求項１２〜１６のいずれかに記載の組成物をある方法によって可視化すること、および
ｂ．前記コンパートメントの画像を捕らえることを含む、前記方法。
【請求項１８】
腎臓組織または小腸の磁気共鳴画像を生み出すための方法であって、以下のステップ：
ａ．対象に投与した請求項１〜１１のいずれかに記載の複合体、または請求項１２〜１６のいずれかに記載の組成物を、磁気共鳴イメージングまたは磁気共鳴イメージングを基礎にした方法によって可視化すること、
ｂ．前記腎臓組織または小腸の画像を捕らえることを含む、前記方法。
【請求項１９】
２種の異なる複合体の画像が評価され、該複合体が同時に、または任意の順で連続して投与される、請求項１８に記載の方法。
【請求項２０】
少なくとも部分的に画像から得られる情報を基礎にして糸球体濾過率を計算する付加的なステップを含む、請求項１８または１９に記載の方法。
【請求項２１】
異なる常磁性マーカーを有する複合体、および異なる生体分子を有する複合体からなる群から選択される異なる複合体を使用して１回より多く請求項１８に記載の方法を実施し、そしてそれぞれの複合体から得られる情報を合わせることによってコンパートメント機能をプロファイリングするステップを含む、コンパートメント機能をプロファイリングするための方法。
【請求項２２】
個体における腎臓機能をプロファイリングするための方法であって、以下のステップ：
ａ．個体に投与したガドリニウムに連結したアプロチニンを含む複合体または組成物を磁気共鳴イメージングまたは磁気共鳴イメージングを基礎にした方法によって可視化すること、
ｂ．該個体の腎臓の画像を捕らえること、
ｃ．個体に投与したガドリニウムに連結したリゾチームを含む複合体または組成物を、磁気共鳴イメージングまたは磁気共鳴イメージングを基礎にした方法によって可視化すること、および
ｄ．該個体の腎臓の画像を捕らえることを含む、前記方法。
【請求項２３】
本発明に記載の１以上の複合体または１以上の組成物、および本発明の方法におけるその使用のための説明書を含むパーツキット。
【手続補正書】
【提出日】平成23年5月26日(2011.5.26)
【手続補正１】
【補正対象書類名】特許請求の範囲
【補正対象項目名】全文
【補正方法】変更
【補正の内容】
【特許請求の範囲】
【請求項１】
液体組成物であって、
イオン性塩溶液中に懸濁された薬物−樹脂複合体を含み、前記薬物−樹脂複合体は一つ又は複数のイオン交換樹脂粒子上に担持された一つ又は複数の活性薬剤を含み、前記一つ又は複数の活性薬剤の放出が一つ又は複数のイオン性塩によって最初の１時間増大される組成物。
【請求項２】
前記一つ又は複数のイオン交換樹脂粒子が透水性拡散バリアで被覆されている、請求項１に記載の組成物。
【請求項３】
一つ又は複数のイオン交換樹脂粒子の実質的にすべてが透水性拡散バリアで被覆されている、請求項１に記載の組成物。
【請求項４】
イオン性塩が無機塩を含む、請求項１に記載の組成物。
【請求項５】
イオン性塩が有機塩を含む、請求項１に記載の組成物。
【請求項６】
イオン性塩が活性薬剤−樹脂粒子複合体と複合された塩とは異なる、請求項１に記載の組成物。
【請求項７】
組成物が第一及び第二の活性薬剤を含み、イオン性塩は第一の活性薬剤の放出プロフィールは変えるが、第二の活性薬剤の放出プロフィールは変えない、請求項１に記載の組成物。
【請求項８】
単位剤形の医薬組成物であって、
一つ又は複数のイオン交換樹脂粒子に結合されて薬物−樹脂複合体を形成する第一の薬理学的活性薬物及び第二の薬物；
薬物−樹脂複合体と接触している一つ又は複数のイオン性塩；及び
薬物−樹脂複合体に適用された透水性拡散バリア
を含み、前記一つ又は複数の薬理学的活性薬物の放出が一つ又は複数のイオン性塩によって最初の１時間増大される医薬組成物。
【請求項９】
単回投与の医薬組成物であって、
一つ又は複数の薬理学的活性薬物に結合された一つ又は複数のイオン交換樹脂粒子と接触している一つ又は複数のイオン性塩を含む調節可能放出マトリックス；
前記調節可能放出マトリックスに適用された透水性拡散バリア；及び
追加のイオン性塩を含む溶液
を含み、イオン性塩の添加が活性薬物の放出プロフィールを最初の１時間増大させるために制御される単回投与の医薬組成物。
【請求項１０】
単回投与の医薬組成物であって、
第一及び第二の活性薬剤に結合された一つ又は複数のイオン交換樹脂粒子と接触している一つ又は複数のイオン性塩を含む調節可能放出マトリックス；
前記調節可能放出マトリックスに適用された透水性拡散バリア；及び
追加のイオン性塩を含む溶液
を含み、イオン性塩の添加が、最初の１時間、第一の活性薬剤の放出を増大させるが、第二の活性薬剤の放出を増大させない単回投与の医薬組成物。
【請求項１１】
液体医薬組成物であって、
一つ又は複数の薬理学的活性薬物を担持し、一つ又は複数のイオン性塩を含む溶液中に懸濁された一つ又は複数の薬物−イオン性樹脂を含み、一つ又は複数のイオン性塩のイオン強度が一つ又は複数の薬理学的活性薬物の放出を最初の１時間増大させる医薬組成物。
【請求項１２】
一つ又は複数の薬物−イオン性樹脂が透水性拡散バリアで被覆されている、請求項１１に記載の組成物。
【請求項１３】
一つ又は複数の薬物−イオン性樹脂の実質的にすべてが透水性拡散バリアで被覆されている、請求項１１に記載の組成物。
【請求項１４】
イオン性塩が無機塩を含む、請求項１１に記載の組成物。
【請求項１５】
イオン性塩が有機塩を含む、請求項１１に記載の組成物。
【請求項１６】
イオン性塩が活性薬剤−樹脂粒子複合体と複合された塩とは異なる、請求項１１に記載の組成物。
【請求項１７】
液体医薬組成物であって、
イオン性樹脂上に担持され、一つ又は複数のイオン性塩を含む溶液中に懸濁された少なくとも第一の薬理学的活性薬物及び第二の薬理学的活性薬物を含み、一つ又は複数のイオン性塩のイオン強度が第一の薬理学的活性薬物、第二の薬理学的活性物質又はその両方の放出を最初の１時間増大させる、液体医薬組成物。
【請求項１８】
制御放出組成物の製造法であって、
担体中に一つ又は複数のイオン性塩と一つ又は複数のイオン性樹脂上に担持された一つ又は複数の薬理学的活性薬剤とを懸濁させるステップを含み、一つ又は複数のイオン性塩のイオン強度が一つ又は複数の薬理学的活性薬物の放出を最初の１時間増大させる方法。
【請求項１９】
一つ又は複数のイオン性樹脂が透水性拡散バリアを含む、請求項１８に記載の方法。
【請求項２０】
一つ又は複数のイオン性樹脂の実質的にすべてが透水性拡散バリアで被覆されている、請求項１８に記載の方法。
【請求項２１】
薬物−樹脂組成物の放出を調節する方法であって、
一つ又は複数のイオン性塩を、一つ又は複数の薬理学的活性薬物を担持した一つ又は複数のイオン性樹脂複合体を含む薬物懸濁液へ添加するステップを含み、前記一つ又は複数のイオン性塩の添加が、放出される少なくとも一つの薬理学的活性薬物の放出を最初の１時間増大させる方法。
【請求項２２】
一つ又は複数のイオン性樹脂複合体が透水性拡散バリアで被覆されている、請求項２１に記載の方法。
【請求項２３】
一つ又は複数の薬理学的活性薬物が、即時放出薬理学的活性薬物及び持続放出活性薬物の両方を含む、請求項２１に記載の方法。
【請求項２４】
イオン性樹脂複合体が、腸溶コート、樹脂コート、ラッカーコート、ｐＨ感受性コーティング、生分解性ポリマーマトリックス、水溶性マトリックス、イオン性マトリックス、それらの組合せ及び混合物を含む透水性拡散バリアをさらに含む、請求項２１に記載の方法。
【請求項２５】
イオン性樹脂複合体が、セルロース、エチルセルロース、メチルセルロース、プロピルセルロース、メトキシプロピルセルロース、硝酸セルロース、ポリ（ビニルアルコール）、ポリ（塩化ビニル）、ポリスチレン、ポリエチレン、ポリプロピレン、ポリ（エチレン−コ−酢酸ビニル）、ポリ（ヒドロキシ酪酸）、ポリ（ヒドロキシバレリアン酸−コ−ヒドロキシ酪酸）、ポリ（乳酸）、ポリ（グリコール酸）、ポリ（乳酸−コ−グリコール酸）、ポリ（ε−カプロラクトン類）、ポリ（ε−カプロラクトン−コ−ＤＬ−乳酸）、ポリ（無水マレイン酸）、ポリアミド類、ゼラチン、キトサン、コラーゲン、ポリ（ヒドロキシアルキル）−Ｌ−グルタミン類、ポリ（γ−エチル−Ｌ−グルタミネート−コ−グルタミン酸）、ポリ（Ｌ−ロイシン−コ−Ｌ−アスパラギン酸）、ポリ（プロリン−コ−グルタミン酸）、ポリ（アルキル２−シアノアクリレート類）、ポリウレタン類、ポリ（メチルメタクリレート）、ポリ（メチルメタクリレート−コ−メタクリル酸）及びポリ（メタクリレート−コ−ヒドロキシプロピルメタクリレート）、ポリスチレン、ポリスチレクス、その塩、組合せ及び混合物からなる群から選ばれる一つ又は複数のポリマーをさらに含む、請求項２１に記載の方法。
【請求項２６】
イオン性塩が無機塩を含む、請求項２１に記載の方法。
【請求項２７】
イオン性塩が有機塩を含む、請求項２１に記載の方法。
【請求項２８】
イオン性塩が塩化ナトリウムである、請求項２１に記載の方法。
【請求項２９】
請求項２１に記載の方法であって、前記懸濁液が第一の薬理学的活性薬物と第二薬理学的活性薬物を含み、前記一つ又は複数のイオン性塩が、当該第一薬理学的活性薬物の放出プロフィールは調節するが、当該第二薬理学的活性薬物の放出は調節しない、方法。